(57)【要約】      （修正有）【課題】鍋蓋は、広い場所を占領するため、他の料理作業をするのに、妨げになるし、又、他の料理中には、鍋蓋の置く場所に思いまどう等の不便があった。蓋を器から取外した時、この蓋の置く場所を提供する。【解決手段】蓋１内側の中央部に取付けてある、ツマミ締付けのネジ穴に固定する基部２ａと、該基部２ａから蓋の縁５とは直角方向に細長の線状体をラセン状に形成した引っ掛け部３ａを設けてあり、該引っ掛け部３ａは、ラセン形状のラセン線とラセン線の間の狭間で器の縁を差挟むように引っ掛けて用いる、フック付き蓋Ａ１である。【選択図】図１
2010022612.tif 000002
【特許請求の範囲】
【請求項１】
蓋の内側に、設けたフックであって、このフックは、蓋の内側中央部に、備えた基部と、該基部から、前記蓋の縁方向と直角な方向に硬性の線状体でラセン状を形成した引っ掛け部が設けてあり、該線状体のラセン形状は、内側に指の差し入れが可能な空間と、ラセン線とラセン線との隙間で器の縁を差挟む狭間と、を備えたことを特徴とする。このフックを、器の縁へ引っ掛けて用いる、フック付き蓋
【請求項２】
鍋蓋の中央部に設けたつまみ部には、鍋蓋の縁方向に直角な方向へ押圧でスライドする基部材と, 該基部材に押圧方向とは逆方向に圧力を加えたばねと，線状体は一端部を、前記基部材に取付けると共に、鍋蓋の内側で鍋蓋の縁方向に直角な方向へ延設され、中途から該延設方向に直角な方向へ折り曲げ，他端部は該折り曲げ地点を囲むように巡らした引っ掛け部を形成した硬性の線状体と，を備えたことを特徴とするフックを設けてある。
フック付き鍋蓋
【発明の詳細な説明】
【技術分野】
【０００１】
本発明は、器の縁に引っ掛けるフック付き蓋に関するものである。
【背景技術】
【０００２】
例えば、鍋から鍋蓋を取り外した時、この鍋蓋の置く場所が一定せず、空き場所に置いていた。鍋蓋の摘み部分を、該鍋蓋と平行に縁と同じ位置まで延ばした突っ支い棒形状の摘み、あるいは鍋蓋を立て掛けるための立てかけ具は一部にはあった。
【発明の開示】
【発明が解決しようとする課題】
【０００３】
上記のように、従来は、その都度空き場所を見つけては、鍋蓋をその空き場所に置いていた。
けれども、鍋蓋は、広い場所を占領するため、他の料理作業をするのに、妨げになるし、又、他の料理中には、鍋蓋の置く場所に思いまどう等の不便があった。
【課題を解決するための手段】
【０００４】
そこで、本発明は、これらの問題点を解決するために講じた本発明の手段は、次のとおりである。
第一の手段にあっては、蓋の内側に設けたフックであって、このフックは、蓋の内側中央部に備えた基部と、該基部から前記蓋の縁方向と直角な方向に、硬性の線状体でラセン状を形成した引っ掛け部が設けてあり、該線状体のラセン形状は、内側に指の差し入れが可能な空間と、ラセン線とラセン線との隙間で、器の縁を差挟む挟間と、を備えたことを特徴とするフック付き蓋である。
【０００５】
本発明の第二の手段は、鍋蓋の中央部に設けたつまみ部には、鍋蓋の縁方向に直角な方向の内側方向へ押圧でスライドする基部材と，該基部材に押圧方向とは逆方向に圧力を加えたばねと，線状体は一端部を、前記基部材に取付けると共に、鍋蓋の内側で鍋蓋の縁方向に直角な方向へ延設され、中途から該延設方向に直角な方向へ折り曲げ、他端部は該折り曲げ地点を囲むように巡らした引っ掛け部を形成した硬性の線状体と，を備えたことを特徴とするフックを設けてある。
このフックを鍋の縁へ引っ掛けて用いるフック付き鍋蓋である。
【発明の効果】
【０００６】
本発明の、鍋蓋に取付けたフックは、細長の線状体を用いているため、付着した汚れが現認できる、又、汚れが付着しても簡単に洗い落すことができる構造を備えてあり、蓋は縦方向へ引っ掛けて取り計らうため余計な場所はとらない。
又、いちいち置く場所を、探す必要がない等の効果が得られる。
【発明を実施するための最良の形態】
【０００７】
実施例について、図１、ないし図２、図３を元にして、本発明を説明する。
【０００８】
図１は、本発明に係る、フック付き蓋の第一の実施例を示す概略図である。
符号（１）は蓋で、フック（Ｍ１）と、つまみ（１３）と、基部（２ａ）と、ラセン状の線状体（１５）と引っ掛け部（３ａ）を有している。
【０００９】
蓋（１）の中央部外側に、つまみ（１３）を設けてある。蓋（１）の中央部内側  には、基部（２ａ）が設けてある。基部（２ａ）には、線状体（１５）の一端を取付けてある。該線状体（１５）は、ラセン状を形成し、蓋の縁（５）方向と直角な方向に設けてある。線状体（１５）はラセン形状の引っ掛け部（３ａ）を形成してある。ラセン形状の直径は、指を内奥まで差し入れ、内側と外側から指でつまんで洗える直径を有している。又、ラセン状のラセン線とラセン線の間隔は、用いる器の縁に差挟み得る挟間を有している。器の縁を差挟んだ後、蓋（１）を回動するように捻りを加えて締め付ける。
【００１０】
図２は、本発明に係るフック付き鍋蓋の第2の実施例を示す概略図である。
図３は、本発明に係るフック付き鍋蓋の第2の実施例を示す概略中央部断面図で    ある。
図２、図３を示して説明する
符号（Ａ２）は、フック付き鍋蓋で、フック（Ｍ２）と鍋蓋（１）と、基部材（  ２ｂ）と、引っ掛け部（３ｂ）と、ばね（４）と、つまみ部（１３ｂ）には、キャップ（１８）を被せてあり、このキャップ（１８）に基部材（２ｂ）を取付けと、線状体（１５ｂ）を有している。
【００１１】
鍋蓋（１）中央部に設けたつまみ部（１３ｂ）の外郭に設けたキャップ（１８）には、押圧で鍋蓋の縁（５ｂ）方向と直角な方向にスライド可能な基部材（２ｂ）が設けてある。又、つまみ部（１３ｂ）には、基部材（２ｂ）に押圧を加えた時、この押圧に逆らうばねが設けられている。
線状体（１５ｂ）は、一端部が基部材（２ｂ）に取り付けられ、中間部は、鍋蓋の縁（５ｂ）方向と直角な方向に延設され、途中から鍋蓋の縁（５ｂ）方向に折り曲げ、他端部は近辺に巡らした引っ掛け部（３ｂ）を形成してある。
【００１２】
鍋の縁に引っ掛ける鍋蓋（１）の取り付く位置を高くする時は、基部材（２ｂ）と引っ掛け部（３ｂ）の間に直径の大きい線状体（１５ｂ）を用いる。あるいは線状体（１５ｂ）にカバーを取り付けて直径を大きくすることも可能である。
【００１３】
通常、引っ掛け部（３ｂ）は、鍋蓋（１）の内側に寄せ付けてあり、鍋蓋（１）のつまみ部（１３ｂ）の天頂付近に位置した基部材（２ｂ）を押圧で内側方向へスライドさせて引っ掛け部（３ｂ）を前方へ押し出す。押し出だされた引っ掛け部（  ３ｂ）を鍋の縁に引っ掛けて使用する。
【００１４】
図１に示すように、ラセン状の直径は、指を差し入れて内側の汚れを洗い落すための大きさを備えている。
線状体（１５）は細長の棒状に限定されるものでもなく板状を用いてラセン状を形成したものを使用してもかまわない。又、線状体と別途にラセン状の中心を通る軸棒を設けることも可能である。
図２に示すように基部材（２ｂ）は、つまみ部(１３ｂ)内の天頂部から底部へ押圧でスライドするように構成されている。
又、ばねを使わず手動のみで往復可能なスライド部材を用いることも可能である。  
【００１５】
図２の基部材（２ｂ）と引っ掛け部（３ｂ）間の線状体（１５ｂ）の長さを調整する調整部を基部材（２ｂ）に設けて各々別の鍋の縁へ引っ掛け部（３ｂ）を引っ掛ける時、長さ調整可能な調整具を設けることも可能である。
又、引っ掛け部（３ｂ）を鍋蓋（１）の内面に密着させるために、基部材（２ｂ）から延設された線状体（１５ｂ）を途中から直角よりも余分に折り曲げることも可能である。又、鍋蓋（１）の引っ掛け場所は鍋の縁だけに限定されない。
【００１６】
引っ掛け部（３ｂ）を前方へ押し出す手段は、つまみ部（１３ｂ）内にラセン形状を設け、ラセンに沿って捻りを加える。又は、つまみ部（１３ｂ）の中央にプッシュする押ボタンを設けることも可能であり、又止め処で留める留め具を設けることもできる。
【００１７】
鍋蓋の中央部とは、中心部周辺を含んでおり、例えばブリッジ形状のつまみ部に１つ又は複数の引っ掛け部を設けることも可能であり、又止め処で留める留め具を設けることもできる。
【実施例】
【００１８】
線状体（１５ｂ）は、例えば直径3ミリメートル寸法を有する硬性で円柱形状の細長を用いてもよいが3ミリメートルより太くても、又、細くしてもかまわない。
【００１９】
以上、本発明の実施の形態及び実施例を説明したが、本発明はこれに限定するものではなく、特許請求の範囲において様々な形状が可能である。
【図面の簡単な説明】
【００２０】
【図１】本発明に係る第１のフック付き蓋の実施例を示す概略図である。
【図２】本発明に係る第２のフック付き鍋蓋の実施例を示す概略図である。
【図３】本発明に係る第２のフック付き鍋蓋のつまみ部の部分中央部分の断面図    である。
【符号の説明】
【００２１】
Ａ１        フック付き蓋
Ｍ１        フック
１          蓋
２ａ        基部
３ａ        引っ掛け部
５          蓋の縁
１３        つまみ
１５        線状体
Ａ２        フック付き鍋蓋
Ｍ２        フック
１          鍋蓋
２ｂ        基部材
３ｂ        引っ掛け部
４          ばね
５ｂ        鍋蓋の縁
１３ｂ      つまみ部
１５ｂ      線状体
１８        キャップ
【図１】
2010022612.tif 000003
【図２】
2010022612.tif 000004
【図３】
2010022612.tif 000005